(57)【要約】【課題】過変調状態が検出された時に、映像信号の折り返しを防止すると共に、ＰＬＬ回路のＶＣＯ発振周波数のドリフトを小さくした映像検波回路を提供する。【解決手段】本発明の映像検波回路は、映像信号に応じて搬送波が振幅変調された映像変調信号（ＰＩＦ信号）に基づいて再生搬送波を生成するＰＬＬ回路と、再生搬送波を用いて映像変調信号から映像信号を同期検波するＶＤＥＴ２３と、映像変調信号の映像変調度が所定の変調度閾値を超える過変調状態を検出する比較器３３と、この比較器３３により過変調状態が検出された時に、映像変調信号を反転してＰＬＬ回路のＡＰＣ２４に出力する反転スイッチ回路３４と、を備える。【選択図】図１
2011120038.tif 000002
【特許請求の範囲】
【請求項１】
映像信号に応じて搬送波が振幅変調された映像変調信号に基づいて再生搬送波を生成するフェーズロックループ回路と、
前記再生搬送波を用いて前記映像変調信号から前記映像信号を同期検波する検波回路と、
前記映像変調信号の映像変調度が所定の変調度閾値を超える過変調状態を検出する過変調検出回路と、
前記過変調検出回路により過変調状態が検出された時に、前記映像変調信号を反転して前記フェーズロックループ回路の自動位相調整回路に出力する反転スイッチ回路と、を備えることを特徴とする映像検波回路。
【請求項２】
前記過変調検出回路は、前記検波回路から出力された前記映像信号と前記所定の変調度閾値に対応する基準電位とを比較する比較器を備え、前記映像信号が前記基準電位を超えた時に、前記過変調状態を検出することを特徴とする請求項１に記載の映像検波回路。
【請求項３】
前記反転スイッチ回路は、前記映像変調信号が一定レベル未満の時には、前記映像変調信号を反転することなく前記自動位相調整回路に出力するように構成されたことを特徴とする請求項１又は２に記載の映像検波回路。
【請求項４】
前記反転スイッチ回路は、前記映像信号が到来している映像信号期間以外の期間では、前記映像変調信号を反転することなく前記自動位相調整回路に出力するように構成されたことを特徴とする請求項１乃至３のいずれかに記載の映像検波回路。
【請求項５】
前記反転スイッチ回路は、前記フェーズロックループ回路が反転ロック状態の時には、前記映像変調信号を反転することなく前記自動位相調整回路に出力するように構成されたことを特徴とする請求項１乃至４のいずれかに記載の映像検波回路。
【請求項６】
前記反転スイッチ回路は、信号バスからの制御信号に応じて、オン・オフのスイッチングが可能に構成されたことを特徴とする請求項１乃至５のいずれかに記載の映像検波回路。
【発明の詳細な説明】
【技術分野】
【０００１】
本発明は、搬送波を振幅変調した信号から映像信号を復調する映像検波回路に関し、特に過変調状態に対応した映像検波回路に関する。
【背景技術】
【０００２】
テレビジョン放送の受信機は、テレビジョン放送信号を受信し、受信信号を中間周波数信号（ＩＦ信号：Intermediate Frequency）にダウンコンバートし、そのＩＦ信号から映像信号、色信号、音声信号を復調する。
【０００３】
図４は、従来のビデオ中間周波数信号処理回路（ＶＩＦ回路：Video Intermediate Frequency）の構成を示す図である。ＶＩＦ回路は、中間周波数にダウンコンバートされた映像変調信号（ＰＩＦ信号）から輝度情報を含む映像信号を復調する回路である。
ＶＩＦ回路は、図４に示すように、入力端子１、アンプ２、検波器（ＶＤＥＴ）３、自動位相調整器（ＡＰＣ：Auto Phase Control）４、電圧制御発振器（ＶＣＯ：Voltage Controlled Oscillator）５、移相器６、ＡＰＣフィルタ７、ビデオアンプ（ＶＡＭＰ）８、出力端子９、自動ゲイン調整器（ＡＧＣ：Auto Gain Controller）１０、サウンドトラップ回路１１、比較器１２を含んで構成される。
【０００４】
入力端子１からＰＩＦ信号が入力される。ＰＩＦ信号は、アンプ２により増幅され、ＶＤＥＴ３及びＡＰＣ４へ入力される。ＡＰＣ４、ＶＣＯ５及び移相器６はフェーズロックループ回路（ＰＬＬ回路）を構成しており、入力されたＰＩＦ信号に基づいて搬送波を再生する。移相器６は、ＶＣＯ５で発生した信号に対して±４５°の位相差を有する２つの信号を生成し、一方をＡＰＣ４へ戻し、他方をＶＤＥＴ３へ出力する。ＰＬＬ回路は、ＡＰＣ４へ入力される２つの信号の位相差が９０°となるように制御を行う。
【０００５】
ＡＰＣ４は、９０°の位相差を有する入力信号をミキシングし、両信号の間の位相差と目標値となる９０°との位相ずれ量δに応じた電流ＩAPCを出力する。ＡＰＣ４の出力端にはＡＰＣフィルタ７が接続される。ＡＰＣフィルタ７は抵抗及びコンデンサからなる積分回路であり、ＡＰＣ４の出力信号に含まれる高周波成分をカットし、電流ＩAPCを時間的に平滑化してＶＣＯ５の制御電圧を生成する。
【０００６】
アンプ２からＡＰＣ４へ入力されるＰＩＦ信号と移相器６からＡＰＣ４へ入力される信号との位相差をＰＬＬ回路によって＋９０°となるように制御すると、移相器６からＶＤＥＴ３へ入力される信号は、ＰＩＦ信号の搬送波と同じ周波数かつ位相差０°の再生搬送波となる。ＶＤＥＴ３は、移相器６からの再生搬送波を受けて、アンプ２から入力されるＰＩＦ信号と再生搬送波をミキシングすることによってＰＩＦ信号から映像信号を抽出して出力する。抽出された映像信号はＶＡＭＰ８及びサウンドトラップ回路１１に入力される。
【０００７】
サウンドトラップ回路１１は、映像信号に重畳して検波された音声搬送波信号を除去するフィルタ回路を含んで構成される。ＶＡＭＰ８は、サウンドトラップ回路１１によってフィルタリングされた映像信号とＶＤＥＴ３から直接入力された基準電位との差動増幅を行って出力端子９から出力する。
【０００８】
また、ＶＡＭＰ８から出力される映像信号はＡＧＣ１０へ入力される。ＡＧＣ１０は、出力される映像信号の強度に応じて入力側のアンプ２のゲインを制御し、出力される映像信号の強度を適正レベルの範囲に調整する。
【０００９】
比較器１２は、映像信号の過変調を判定する。比較器１２の一方の入力端子には、適正レベルに調整される映像信号が入力され、他方の入力端子には過変調と判断する閾値に対応する所定の基準電位が入力される。ＡＰＣ４は、後述するように、比較器１２の判定結果に応じてＰＬＬ回路のループゲインを制御するように構成される。
【００１０】
映像変調度の上限は、日本では例えば地上波放送について、８７．５％という値が規格により設定されており、これを超える変調状態を過変調と呼んでいる。ここで、様々な映像メディアや他の国の放送の中には、過変調のＰＩＦ信号を生じるものもある。過変調状態では、ＰＩＦ信号の振幅が微小となり、ＰＬＬの同期が難しくなるという問題の他、１００％を超える過変調状態（以下、強過変調状態と称する。）は、映像信号が１００％未満の領域に折り返されるため、画面上にて正しい階調が再現されないという問題があった。
【００１１】
図５は、この折り返しを説明するＰＩＦ信号及び映像信号の一例の模式図である。本来の映像信号４０は、ＰＩＦ信号４１の互いに同位相のピークを結ぶ包絡線である。映像変調度が１００％を超える期間４２と１００％未満の期間４３とでは、ＰＩＦ信号４１の極性が互いに反転した関係となる。このようなＰＩＦ信号４１がＡＰＣ４に入力されると、ＰＬＬ回路はこの反転に起因する１８０°の位相ずれにも追随してしまう。
【００１２】
その結果、ＶＤＥＴ３に入力される再生搬送波の位相も１８０°ずれ、期間４２では、点線で示す下側の包絡線が映像信号４４として検波されることになる。このように、映像変調度が１００％を超える映像信号が、１００％の線を中心として下側に折り返されるため、この部分では映像変調度が大きくなるほど、暗くなるという不自然な映像となってしまう。
【００１３】
上述の従来回路はこの折り返しを防止するために、比較器１２の判定結果に基づいて、過変調時にＡＰＣ４が出力電流ＩAPCを微弱値又は０に切り替えるように構成される。これにより、ＰＬＬ回路のループゲインが抑制され、ＰＩＦ信号４１の極性反転時の１８０°の位相ずれにＰＬＬ回路が追随することが抑制され、折り返しが防止される。（特許文献１、２を参照）
【００１４】
また、折り返し防止する別のＶＩＦ回路として、過変調時に、ＶＣＯ５で生成される搬送波も反転させ、通常変調時と同じように映像信号を復調させる回路が知られている。（特許文献３を参照）
【先行技術文献】
【特許文献】
【００１５】
【特許文献１】特開２００８−１１１２８号公報
【特許文献２】特開２００９−５５４９５号公報
【特許文献３】特開２００７−３３６３２８号公報
【発明の概要】
【発明が解決しようとする課題】
【００１６】
上述の従来のＶＩＦ回路は、過変調状態時にループゲインを抑えることで、過変調状態前のＰＬＬ回路のロック状態でのＰＩＦ信号と再生搬送波との位相関係の維持を図る。しかし、ＰＬＬ回路のループゲインを抑制するとＶＣＯ５の発振はフリーランとなるおそれがあり、また、例えば、ＡＰＣフィルタ７の放電によるＶＣＯ５の制御電圧の変化などによるＶＣＯ５の発振周波数のドリフトを止めることができなくなる。
【００１７】
そのため、必ずしもＰＩＦ信号と再生搬送波との位相関係は過変調状態においては好適に維持されない。その結果、ＶＤＥＴ３に供給される再生搬送波の位相が変動し、ＶＤＥＴ３にて復調される映像信号の精度が低下し、画質の劣化を招くという問題があった。
【００１８】
また、過変調状態時にＶＣＯ５の搬送波を反転させるＶＩＦ回路では、当該搬送波の反転時にＡＰＣ４の電圧が大きく影響を受け、バズ（Ｂｕｚｚ）や映像の乱れが抑えられないという問題があった。
【００１９】
本発明は上記問題点を解決するためになされたものであり、過変調状態においても好適な映像信号の復調が可能な映像検波回路を提供することを目的とする。
【課題を解決するための手段】
【００２０】
本発明の映像検波回路は、映像信号に応じて搬送波が振幅変調された映像変調信号に基づいて再生搬送波を生成するフェーズロックループ回路と、前記再生搬送波を用いて前記映像変調信号から前記映像信号を同期検波する検波回路と、前記映像変調信号の映像変調度が所定の変調度閾値を超える過変調状態を検出する過変調検出回路と、前記過変調検出回路により過変調状態が検出された時に、前記映像変調信号を反転して前記フェーズロックループ回路の自動位相調整回路に出力する反転スイッチ回路と、を備えるものである。
【発明の効果】
【００２１】
本発明の映像検波回路によれば、過変調状態が検出された時に、映像変調信号を反転してフェーズロックループ回路の自動位相調整回路に供給する反転回路を設けたことにより、過変調状態の時でも、映像変調信号と再生搬送波の位相のずれが生じなくなる。これにより、映像信号の折り返しを防止することができる。
【００２２】
しかも、従来のようにフェーズロックループ回路のゲインを抑制していないので、フェーズロックループ回路のＶＣＯ発振周波数のドリフトを小さくすることができる。
【００２３】
また、過変調状態が検出された時に映像変調信号を反転するので、この時には映像変調信号の変調度は１００％に近く、充分に小さい。これにより、ＡＰＣ（自動位相調整回路）への影響が少なく、Ｂｕｚｚや映像の乱れが抑えられる。
【図面の簡単な説明】
【００２４】
【図１】本発明の実施形態の映像検波回路の概略の回路図である。
【図２】本発明の実施形態の過変調検出回路の回路図である。
【図３】本発明の実施形態の反転スイッチ回路の回路図である。
【図４】従来の映像検波回路の回路図である。
【図５】映像信号の折り返しを説明するＰＩＦ信号及び映像信号の一例の波形図である。
【発明を実施するための形態】
【００２５】
本発明の実施形態による映像検波回路（ＶＩＦ回路）は、図１に示すように、入力端子２１、アンプ２２、検波器（ＶＤＥＴ）２３、自動位相調整器（ＡＰＣ：Auto Phase Control）２４、電圧制御発振器（ＶＣＯ：Voltage Controlled Oscillator）２５、移相器２６、ＡＰＣフィルタ２７、ビデオアンプ（ＶＡＭＰ）２８、出力端子２９、自動ゲイン調整器（ＡＧＣ：Auto Gain Controller）３０及びサウンドトラップ回路３１、ローパスフィルタ（ＬＰＦ）３２、比較器３３、反転スイッチ回路３４、同期分離回路３５、Ｉ２Ｃバス３６及びレジスタ３７を含んで構成される。
【００２６】
このＶＩＦ回路は、例えば、テレビジョン放送信号を処理する半導体集積回路の一部として構成することができる。
【００２７】
入力端子２１からＰＩＦ信号が入力される。ＰＩＦ信号は、アンプ２２により増幅され、ＶＤＥＴ２３及び反転スイッチ回路３４に入力される。比較器３３（「過変調検出回路」の一例）は、ＶＤＥＴ２３から出力される映像信号と所定の変調度閾値に対応する基準電位Ｖｒｅｆとを比較する。所定の変調度閾値は、前述のような映像信号の折り返しが発生する強過変調状態に対応するために１００％であることが好ましい。本実施形態では、映像信号として、ＶＤＥＴ２３から出力される一対の映像信号の中、低電位側の映像信号（例えば、図５の映像信号４０）を用いている。
【００２８】
ＶＤＥＴ２３から出力される映像信号には、音声搬送波信号が重畳されているので、この影響を無くすために、ＬＰＦ３２を介して音声搬送波信号を充分に除去した後に、比較器３３に入力することが好ましい。
【００２９】
比較器３３により、映像信号が所定の変調度閾値を超える時には、比較器３３の出力はＨレベルとなり、過変調状態であると判断される。この場合、反転スイッチ回路３４は比較器３３の出力に応じて、ＰＩＦ信号を反転する。反転されたＰＩＦ信号はＡＰＣ２４へ入力される。
【００３０】
一方、映像信号が所定の変調度閾値未満の時には、比較器３３の出力はＬレベルとなり、通常状態と判断される。この比較器３３の出力に応じて、反転スイッチ回路３４はオフになる。つまり、ＰＩＦ信号は反転されずに、そのままＡＰＣ２４へ入力される。この場合、比較器３３はノイズ等に対する安定化を図るために、ヒステリシス特性を持たせることが好ましい。
【００３１】
ＡＰＣ２４、ＶＣＯ２５及び移相器２６はフェーズロックループ回路（ＰＬＬ回路）を形成しており、反転スイッチ回路３４を通して入力されたＰＩＦ信号（過変調状態の場合は反転されたＰＩＦ信号）に基づいて搬送波を再生する。移相器２６は、ＶＣＯ２５で発生した信号に対して±４５°の位相差を有する２つの信号を生成し、一方をＡＰＣ２４へ戻し、他方をＶＤＥＴ２３へ出力する。ＰＬＬ回路は、ＡＰＣ２４へ入力される２つの信号の位相差が９０°となるように制御を行う。
【００３２】
ＡＰＣ２４は、９０°の位相差を有する入力信号をミキシングし、両信号の間の位相差と目標値となる９０°との位相ずれ量δに応じた電流ＩAPCを出力する。ＡＰＣ２４の出力端にはＡＰＣフィルタ２７が接続される。ＡＰＣフィルタ２７は抵抗及びコンデンサからなる積分回路であり、ＡＰＣ２４の出力信号に含まれる高周波成分をカットし、電流ＩAPCを時間的に平滑化してＶＣＯ２５の制御電圧を生成する。
【００３３】
アンプ２２から反転スイッチ回路３４を通してＡＰＣ２４へ入力されるＰＩＦ信号（過変調状態の場合は反転されたＰＩＦ信号）と移相器２６からＡＰＣ２４へ入力される信号との位相差をＰＬＬ回路によって＋９０°となるように制御すると、移相器２６からＶＤＥＴ２３へ入力される信号は、ＰＩＦ信号の搬送波と同じ周波数かつ位相差０°の再生搬送波となる。
【００３４】
ＶＤＥＴ２３は、移相器２６からの再生搬送波を受けて、アンプ２２から入力されるＰＩＦ信号と再生搬送波をミキシングすることによってＰＩＦ信号から映像信号を抽出して出力する。抽出された映像信号はＶＡＭＰ２８及びサウンドトラップ回路３１に入力される。
【００３５】
サウンドトラップ回路３１は、映像信号に重畳して検波された音声搬送波信号を除去するフィルタ回路を含んで構成される。ＶＡＭＰ２８は、サウンドトラップ回路３１によってフィルタリングされた映像信号とＶＤＥＴ２３から出力される基準電位Ｖｒｅｆとの差を増幅して出力端子２９から出力する。この場合、基準電位Ｖｒｅｆとして、ＶＤＥＴ２３から出力される一対の映像信号の一方の映像信号ではなく、当該一対の映像信号の中心直流電位を使用することが好ましい。これにより、サウンドトラップ回路３１を１つ設ければ済むからである。
【００３６】
また、ＶＡＭＰ２８から出力される映像信号はＡＧＣ３０へ入力される。ＡＧＣ３０は、出力される映像信号の強度に応じて入力側のアンプ２２のゲインを制御し、出力される映像信号の強度を適正レベルの範囲に調整する。
【００３７】
このように、本実施形態のＶＩＦ回路によれば、比較器３３と反転スイッチ回路３４を設けたことにより、通常状態においては、アンプ２２からのＩＦ信号は、そのままＡＰＣ２４に入力されるが、過変調状態においては、反転スイッチ回路３４により反転されたＩＦ信号がＡＰＣ２４に入力されるので、図５のような過変調状態における映像信号の折り返しが防止される。
【００３８】
これは、映像信号の変調度が１００％を超える過変調状態においては、前述のように、ＰＩＦ信号は反転して１８０°の位相ずれが生じるが、本実施形態のＶＩＦ回路によれば、ＰＩＦ信号をさらに反転させて、位相ずれを無くしている。この結果、ＶＤＥＴ２３に入力される再生搬送波の位相ずれも無くなり、ＶＤＥＴ２３に入力されるＰＩＦ信号と再生搬送波との間の位相差は０°に維持されるからである。
【００３９】
そして、本実施形態のＶＩＦ回路によれば、従来のようにフェーズロックループのゲインを抑制していないので、フェーズロックループのＶＣＯ２５の発振周波数のドリフトを小さくすることができる。
【００４０】
また、過変調状態が検出された時にＰＩＦ信号を反転するので、この時には映像変調信号の変調度は１００％に近く、充分に小さい。これにより、ＡＰＣ２４への影響が少なく、Ｂｕｚｚや映像の乱れが抑えられる。
【００４１】
さらに、比較器３３を用いて、ＶＤＥＴ２３の２つの出力（基準電位Ｖｒｅｆと一方の映像信号）を比較することにより過変調状態を検出しているので、サウンドトラップ回路３１及びＶＡＭＰ２８により信号遅延や、オフセット電圧を考慮する必要がなく、映像信号の急激な変化にも容易に対応することができる。なお、このような利点は無くなるが、比較器３３の代わりに、従来のＶＩＦ回路の比較器１２を用いることもできる。
【００４２】
反転スイッチ回路３４は、比較器３３の出力に応じてＰＩＦ信号を反転するが、この条件に加えて、さらに、以下の条件１乃至３を満たす時に、ＰＩＦ信号を反転することが以下に述べる理由により好ましい。これらの条件が欠ける時には、反転スイッチ回路３４はオフであり、ＰＩＦ信号を反転しない。つまり、ＰＩＦ信号は、そのままＡＰＣ２４に入力されることになる。
【００４３】
条件１は、ＡＧＣ３０のＡＧＣ電圧に基づき、ＰＩＦ信号が一定レベル以上であることである。この場合、ＡＧＣ電圧と所定の閾値とが比較器により比較され、当該比較器による比較結果により、ＰＩＦ信号が一定レベル以上である場合に、制御信号Ｓ１が出力されるように構成される。信号レベルが小さい弱電界ではノイズが相対的に大きくなるため、反転スイッチ回路３４が誤動作するおそれがあるからである。
【００４４】
条件２は、映像信号が到来している映像期間であることである。映像期間以外の期間の信号は、過変調にならないからである。図５の例では、映像信号期間５０では、反転スイッチ回路３４はオンしているが、同期信号期間５１では、同期分離回路３５からの制御信号Ｓ２（同期信号）に基づいて、反転スイッチ回路３４はオフするように構成される。
【００４５】
条件３は、ＰＬＬ回路が反転ロック状態ではないことである。ＰＬＬ回路が誤って位相２７０°で反転ロックすると、ＶＤＥＴ２３の出力の映像信号は、基準電位Ｖｒｅｆを基準に反転した波形を出力する。本実施形態の例では、基準電位Ｖｒｅｆに対して高電位側に反転される。（実際には、ＡＧＣ３０も誤動作し、電源電位Ｖｃｃの制限もあるので、きれいな反転波形にはならない）
【００４６】
そこで、このような反転ロック状態になった場合には、ＰＬＬ回路が反転していない正規のＰＩＦ信号位相にロックするように、反転スイッチ回路３４をオフするように構成される。これは、反転ロック状態になると、次の同期信号が到来するまでの一水平期間、正規の信号復調が行われず、画面上に横線ノイズが発生してしまうからである。
【００４７】
この場合、制御信号Ｓ３（ＶＡＭＰ２８から出力される映像信号）と所定の反転ロック閾値（基準電位Ｖｒｅｆより高く設定される）とを比較し、ＶＡＭＰ２８の出力レベルが所定の反転ロック閾値を超えた時に、反転ロック状態と判断して、反転スイッチ回路３４はオフするように構成することが好ましい。反転ロック閾値は、基準電位Ｖｒｅｆより高い電位に設定される。
【００４８】
また、反転スイッチ回路３４は、信号バス、好ましくはＩ２Ｃバス３６からの制御信号Ｓ４に応じて、オン・オフのスイッチングが可能に構成することがユーザーの利便性等を向上させる点で好ましい。
【００４９】
即ち、反転スイッチ回路３４がオンに設定された場合には、上記条件１乃至３が満たされた時に、反転スイッチ回路３４は、比較器３３の比較結果に応じてＰＩＦ信号を反転する。一方、反転スイッチ回路３４がオフに設定された場合には、比較器３３の比較結果の条件と上記条件１乃至３が満たされても、反転スイッチ回路３４は反転動作を行わない。つまり、ＰＩＦ信号は反転されることなく、そのままＡＰＣ２４に入力される。
【００５０】
［比較器、反転スイッチ回路の具体的な構成例］
以下、比較器３３、反転スイッチ回路３４の具体的な構成例を図２、図３に基づいて説明する。図１の回路図では、反転スイッチ回路３４に制御信号Ｓ１〜Ｓ４が入力されているが、ここで説明する回路構成例では、比較器３３、比較器５１を制御信号Ｓ１〜Ｓ４で制御する構成になっている。
【００５１】
図２に示すように、上述の条件１、２の制御とＩ２Ｃバス３６からの制御信号Ｓ４による反転スイッチ回路３４の制御を行う場合、比較器３３は、制御信号Ｓ１、Ｓ２、Ｓ４により制御される。また、条件３により反転スイッチ回路３４の制御を行う場合は、もう１つの比較器５１が追加される。
【００５２】
比較器３３は、条件１、２のいずれかが満たされない場合（映像信号のレベルが一定レベル未満であるか、映像期間以外であること）、又はＩ２Ｃバス３６からの制御信号Ｓ４により、反転スイッチ回路３４をオフに設定する場合には、その出力はＬレベルに固定される。即ち、比較器３３は動作オフ状態になる。この場合、比較器３３の出力がＬレベルに固定されるように、比較器３３に入力される基準電位ＶｒｅｆのレベルがＶｒｅｆ’に変更される。（Ｖｒｅｆ’＞Ｖｒｅｆ）
【００５３】
一方、条件１、２が満たされ、かつＩ２Ｃバス３６からの制御信号Ｓ４により、反転スイッチ回路３４をオンに設定する場合には、比較器３３は、前述のように、ＶＤＥＴ２３から出力される映像信号と所定の変調度閾値に対応する基準電位Ｖｒｅｆとを比較する。そして、比較器３３は、映像信号が変調度閾値を超える時にはＨレベルを出力し、映像信号が変調度閾値より小さい時には、比較器３３はＬレベルを出力する。
【００５４】
また、追加された比較器５１は、条件３に対応しており、制御信号Ｓ３（ＶＡＭＰ２８から出力される映像信号）と電圧源５２により発生される所定の反転ロック閾値とを比較する。そして、制御信号Ｓ３が前記反転ロック閾値を超えると比較器５１の出力はＨレベルからＬレベルに反転する。
【００５５】
２つの比較器３３、５１の出力はＡＮＤ回路５３に入力され、反転スイッチ回路３４の制御信号Ｃ１としてＡＮＤ回路５３から出力される。反転スイッチ回路３４のもう１つの制御信号Ｃ２は、制御信号Ｃ１をインバータ５４で反転した信号として出力される。
【００５６】
図３は反転スイッチ回路３４の具体的な回路図である。反転スイッチ回路３４は、前記制御信号Ｃ１、Ｃ２に応じて、アンプ２２からのＰＩＦ信号を反転させ、又はそのまま通過させる回路であり、ＮＰＮ型のトランジスタＱ１〜Ｑ６、負荷抵抗Ｒ１、Ｒ２、出力端子５５、定電流源５６を含んで構成される。
【００５７】
反転スイッチ回路３４は、差動のトランジスタＱ１、Ｑ２と、スイッチング用のトランジスタＱ３、Ｑ４、Ｑ５、Ｑ６を含んで構成され、トランジスタＱ４のコレクタはトランジスタＱ６のコレクタに、トランジスタＱ５のコレクタはトランジスタＱ３のコレクタにそれぞれクロス接続されている。
【００５８】
ＰＩＦ信号は一対の差動信号であり、当該一対の差動信号は、トランジスタＱ１、Ｑ２のベースにそれぞれ印加される。制御信号Ｃ１は、トランジスタＱ３、Ｑ６のベースに印加される。制御信号Ｃ２は、トランジスタＱ４、Ｑ５の共通ベースに印加される。
【００５９】
制御信号Ｃ１がＨレベル、制御信号Ｃ２がＬレベルの場合、トランジスタＱ３、Ｑ６はオンし、トランジスタＱ４、Ｑ５はオフする。これにより、出力端子５５から反転されたＰＩＦ信号が出力される。一方、制御信号Ｃ１がＬレベル、制御信号Ｃ２がＨレベルの場合、トランジスタＱ３、Ｑ６はオフし、トランジスタＱ４、Ｑ５はオンする。これにより、出力端子５５からＰＩＦ信号が反転されずそのまま出力される。
【００６０】
以上の動作をまとめると以下のとおりである。即ち、条件１乃至３が満たされ、かつＩ２Ｃバス３６からの制御信号Ｓ４により反転スイッチ回路３４がオンに設定される場合は、比較器５１の出力はＨレベルになり、比較器３３はオン状態となる。そして、比較器３３が過変調状態を検出すると、比較器３３の出力はＨレベルになるので、制御信号Ｃ１はＨレベル、制御信号Ｃ２はＬレベルになる。これにより、反転スイッチ回路３４は、ＰＩＦ信号を反転する。
【００６１】
一方、条件１乃至３のいずれかが満たされず、又はＩ２Ｃバス３６からの制御信号Ｓ４により反転スイッチ回路３４がオフに設定される場合には、比較器３３、比較器５１のいずれかの出力がＬレベルになるので、制御信号Ｃ１はＬレベル、制御信号Ｃ２はＨレベルになる。これにより、反転スイッチ回路３４は、オフ状態、つまりＰＩＦ信号を反転せずにそのまま出力する。
【００６２】
言い換えると、Ｉ２Ｃバス３６からの制御信号Ｓ４により反転スイッチ回路３４がオンに設定されている場合は、条件１乃至３が満たされることを条件として、比較器３３はオン状態となる。Ｉ２Ｃバス３６からの制御信号Ｓ４により反転スイッチ回路３４がオフに設定される場合には、条件１乃至３が満たされたとしても、比較器３３はオフ状態であり、ＰＩＦ信号を反転せずにそのまま出力する。反転スイッチ回路３４は、ＰＩＦ信号を反転せずにそのまま出力する。
【符号の説明】
【００６３】
２１  入力端子      ２２  アンプ      ２３  検波器
２４  ＡＰＣ      ２５  ＶＣＯ      ２６  移相器      ２７  ＡＰＣフィルタ
２８  ＶＡＭＰ      ２９  出力端子      ３０  ＡＧＣ
３１  サウンドトラップ回路      ３２  ＬＰＦ      ３３  比較器
３４  反転スイッチ回路      ３５  同期分離回路      ３６  Ｉ２Ｃバス
３７  レジスタ
【図１】
2011120038.tif 000003
【図２】
2011120038.tif 000004
【図３】
2011120038.tif 000005
【図４】
2011120038.tif 000006
【図５】
2011120038.tif 000007